(57)【要約】【課題】生体情報の測定感度を高めることができ、寝返りなどの生体情報も簡単に計測することのできる生体情報計測用パネル、及び、それを用いた生体情報計測システムを提供する。【解決手段】生体情報計測システムは、被検者１６の下に配置されることによって、被検者１６の生体情報を計測する生体情報計測用パネル１０を備える。生体情報計測用パネル１０は、可撓性を有する起歪板（板状体）２０と、起歪板２０に取り付けられた歪みセンサ３２と、起歪板２０を挟み込むように配置された二枚のシリコンゴムシート（シート部材）２２、２４と、二枚のシリコンゴムシート２２、２４と起歪板２０との間にそれぞれ介在され、線状に形成されるとともに平行に配置された複数の緩衝部材（線状部材）２６〜３０と、を備える。【選択図】      図１
2008142461.tif 000002
【特許請求の範囲】
【請求項１】
被検体の下に配置されることによって、前記被検体の生体情報を計測する生体情報計測用パネルにおいて、
可撓性を有する板状体と、
前記板状体に取り付けられた歪みセンサと、
前記板状体を挟み込むように配置された二枚のシート部材と、
前記シート部材と前記板状体との間に介在されるとともに、平行に配置された複数の線状部材と、
を備えることを特徴とする生体情報計測用パネル。
【請求項２】
前記線状部材は、前記板状体を挟んで対向する位置に配置されることを特徴とする請求項１に記載の生体情報計測用パネル。
【請求項３】
前記歪みセンサは、前記板状体の中央部に配置され、前記線状部材は、前記歪みセンサの両側に配置されることを特徴とする請求項１又は２に記載の生体情報計測用パネル。
【請求項４】
前記線状部材が前記板状体の中央部に配置されることを特徴とする請求項１〜３のいずれか１に記載の生体情報計測用パネル。
【請求項５】
前記線状部材の方向を示す指標が前記生体情報計測用パネルの外観に設けられることを特徴とする請求項１〜４のいずれか１に記載の生体情報計測用パネル。
【請求項６】
前記歪みセンサは、前記板状体に取り付けられた四つの歪みゲージでブリッジ回路を形成することによって構成されることを特徴とする請求項１〜５のいずれか１に記載の生体情報計測用パネル。
【請求項７】
請求項１〜６のいずれか１に記載の生体情報計測用パネルと、
該生体情報計測用パネルで得られたデータを管理する管理装置と、
前記生体情報計測用パネルのデータのサンプリング頻度を前記管理装置に設定する設定手段と、
を備えたことを特徴とする生体情報計測システム。
【請求項８】
請求項１〜６のいずれか１に記載の生体情報計測用パネルと、
該生体情報計測用パネルで得られたデータを管理する管理装置と、を備え、
前記管理装置は、前記生体情報計測用パネルで得られたデータに基づいて、該データのサンプリング頻度を決定することを特徴とする生体情報計測システム。
【請求項９】
請求項１〜６のいずれか１に記載された生体情報計測用パネルであって、複数の被検体の下方にそれぞれ配置される複数の生体情報計測用パネルと、
該複数の生体情報計測用パネルと無線又は有線により通信され、前記複数の生体情報計測用パネルから送信されたデータを管理する中央管理装置と、
前記複数の被検体の情報を前記中央管理装置に入力する入力手段と、を備え、
前記入力手段で入力された前記被検体の情報に応じて、前記中央管理装置が各生体情報計測用パネルのサンプリングパターンを決定することを特徴とする生体情報計測システム。
【発明の詳細な説明】
【技術分野】
【０００１】
本発明は生体情報計測用パネルに係り、特にベッド上の被検者の体動情報を検知するための生体情報計測用パネル、及び、それを用いた生体情報計測システムに関する。
【背景技術】
【０００２】
医療施設や介護施設では、ベッド上の被検者（患者や高齢者など）の状態を把握したいという要望があり、被検者の生体情報を計測する様々な方法が提案されている。たとえば、被検者の頭や胸などにセンサを取り付けて脳波や心電図などを測定したり、腕時計型体動計測器を腕に装着して活動と休息を判別したり、ピエゾフィルムなどから成る生体センサをマットレスの下や体の下に敷設する方法が提案されている。
【０００３】
しかし、いずれの方法も被検者を拘束するという問題や、コストが高いという問題があり、被検者の自由度が高く且つ低コストの生体情報計測方法が望まれている。
【０００４】
特許文献１には、ベッドのマット上、或いはマット内に配置される生体情報計測用パネルが開示されている。この生体情報計測用パネルは、歪みセンサを取り付けたアルミ板を二枚の弾性シート材で挟みこむことによって構成され、生体情報計測用パネルをベッドのマット上、或いはマット内に配置することによって、被検者の呼吸や脈拍等の生体情報を測定することができる。
【特許文献１】特開２００６−４３４４５号公報
【発明の開示】
【発明が解決しようとする課題】
【０００５】
しかしながら、特許文献１の生体情報計測用パネルは、ノイズの問題やデータを増幅する必要があり、被検者の生体情報を正確に把握しにくい問題や、複数の歪みセンサを取り付けるためにデータ量が多くなり解析が複雑になるという問題があった。
【０００６】
本発明はこのような事情に鑑みてなされたもので、生体情報の測定感度を高めることができ、寝返りなどの生体情報も簡単に計測することのできる生体情報計測用パネル、及び、それを用いた生体情報計測システムを提供することを目的とする。
【課題を解決するための手段】
【０００７】
請求項１に記載の発明は前記目的を達成するために、被検体の下に配置されることによって、前記被検体の生体情報を計測する生体情報計測用パネルにおいて、可撓性を有する板状体と、前記板状体に取り付けられた歪みセンサと、前記板状体を挟み込むように配置された二枚のシート部材と、前記シート部材と前記板状体との間に介在されるとともに、平行に配置された複数の線状部材と、を備えることを特徴とする。
【０００８】
請求項１の発明によれば、板状態とシート部材との間に、複数の線状部材を平行に介在させたので、板状体と各シート部材との間には間隙が形成され、板状体は線状の線状部材と直交する方向に湾曲しやすくなる。したがって、歪みセンサによって板状体の歪みを感度良く計測することができ、被検体の寝返りなどの生体情報を正確に測定することができる。
【０００９】
また、請求項１の発明によれば、板状体の歪みを感度良く測定することができるので、歪みセンサの数を減らすことができる。したがって、データ量が無駄に多くならず、データの管理を容易に行うことができる。
【００１０】
請求項２に記載の発明は請求項１の発明において、前記線状部材は、前記板状体を挟んで対向する位置に配置されることを特徴とする。
【００１１】
請求項２の発明によれば、線状部材が板状体の両側で同じ位置に配置されるので、板状体がより湾曲しやすくなり、感度をさらに向上させることができる。
【００１２】
請求項３に記載の発明は請求項１又は２の発明において、前記歪みセンサは、前記板状体の中央部に配置され、前記線状部材は、前記歪みセンサの両側に配置されることを特徴とする。
【００１３】
請求項３の発明によれば、歪みセンサが板状体の中央部に配置され、その両側に線状部材が配置されるので、板状体が湾曲しやすく、且つ、その湾曲を歪みセンサによって感度良く測定することができる。
【００１４】
請求項４に記載の発明は請求項１〜３のいずれか１に記載の発明において、前記線状部材が前記板状体の中央部に配置されることを特徴とする。
【００１５】
請求項４の発明によれば、線状部材が板状体の中央部に配置されるので、被検体の寝返りを正確に計測することができる。すなわち、被検体の寝返りによって板状体の中央部からサイド部に荷重が移動した際の板状体の歪みを正確に測定することができる。
【００１６】
請求項５に記載の発明は請求項１〜４のいずれか１に記載の発明において、前記線状部材の方向を示す指標が前記生体情報計測用パネルの外観に設けられることを特徴とする。
【００１７】
請求項５の発明によれば、線状部材の方向を示す指標が設けられているので、たとえば被検体の背骨の方向と線状部材の方向を合わせるように生体情報計測用パネルを被検体の下に配置することによって、被検体の寝返りを正確に検出することができる。
【００１８】
請求項６に記載の発明は請求項１〜５のいずれか１に記載の発明において、前記ひずみ
センサは、前記板状体に取り付けられた四つの歪みゲージでブリッジ回路を形成することによって構成されることを特徴とする。
【００１９】
請求項６の発明によれば、ブリッジ回路を利用して歪み量を測定するので、差分計算により歪み量を算出することができる。したがって、データのサンプリング頻度を少なくしても、生体情報を正確に測定することができる。
【００２０】
請求項７に記載の発明は、請求項１〜６のいずれか１に記載の生体情報計測用パネルと、該生体情報計測用パネルで得られたデータを管理する管理装置と、前記生体情報計測用パネルのデータのサンプリング頻度を前記管理装置に設定する設定手段と、を備えたことを特徴とする。
【００２１】
請求項７の発明によれば、生体情報計測用パネルのデータのサンプリング頻度を、得たい生体情報に応じて予め設定することができるので、無駄なデータを増やすことなく、被検体の生体情報を正確に測定することができる。
【００２２】
請求項８に記載の発明は、請求項１〜６のいずれか１に記載の生体情報計測用パネルと、該生体情報計測用パネルで得られたデータを管理する管理装置と、を備え、前記管理装置は、前記生体情報計測用パネルで得られたデータに基づいて、該データのサンプリング頻度を決定することを特徴とする生体情報計測システムを提供する。
【００２３】
請求項８の発明によれば、生体情報計測用パネルで得られたデータにより、被検体の体動パターンを解析し、データのサンプリング頻度を決定する。たとえば、得られたデータにより、被検体の睡眠深度が深いと判断した場合にはサンプリング頻度を少なくし、被検体の睡眠深度が浅いと判断した場合にはサンプリング頻度を多くする。これにより、無駄なデータを増やすことなく、被検体の生体情報を正確に測定することができ、被検体の状態（たとえば被検体の起床予備動作や睡眠潜時(Sleep latency)の推定）を確実に判断することができる。
【００２４】
請求項９に記載の発明は、請求項１〜６のいずれか１に記載された生体情報計測用パネルであって、複数の被検体の下方にそれぞれ配置される複数の生体情報計測用パネルと、該複数の生体情報計測用パネルと無線又は有線により通信され、前記複数の生体情報計測用パネルから送信されたデータを管理する中央管理装置と、前記複数の被検体の情報を前記中央管理装置に入力する入力手段と、を備え、前記入力手段で入力された前記被検体の情報に応じて、前記中央管理装置が各生体情報計測用パネルのサンプリングパターンを決定することを特徴とする生体情報計測システムを提供する。
【００２５】
請求項９の発明によれば、被検体の情報に応じてデータのサンプリングパターンを決定する。たとえば、徘徊の危険がある被検体の場合には離床を把握するために０．１〜１回／秒程度の低速サンプリングにしたり、小児の場合には体動や呼吸数を把握するために睡眠時のサンプリング頻度を２０回／秒以上にしたりする。これにより、被検体ごとに正確な生体情報を求めることができる。
【発明の効果】
【００２６】
本発明によれば、板状体とシート部材との間に、複数の線状の線状部材を平行に介在させたので、板状体が線状部材と直交する方向に湾曲しやすくなり、被検体の寝返りなどの生体情報を起歪材の歪みによって感度良く計測することができる。
【００２７】
また、本発明によれば、生体情報計測用パネルで得られたデータや被検体の情報に基づいて、データのサンプリング頻度を決定するので、被検体の状態を確実に検出することができる。
【発明を実施するための最良の形態】
【００２８】
以下添付図面に従って本発明に係る生体情報計測用パネル及びそれを用いた生体情報計測システムの好ましい実施の形態について詳述する。
【００２９】
図１は本実施の形態の生体情報計測システムの構成を模式的に示す図であり、生体情報計測用パネル1０を備えたベッド１２を示している。
【００３０】
同図に示す生体情報計測用パネル１０は、ベッド１２のマット１４上で寝る被検者（被検体）１６の生体情報を得るものであり、マット１４の上（すなわち被検者１６の下方）に配置される。なお、生体情報計測用パネル１０は、被検者１６の下方で、且つ、被検者１６の体動を検知できる位置に配置されていればよく、たとえばマット１４の内部やマット１４の下方に設置してもよい。
【００３１】
図２は生体情報計測用パネル１０を示す斜視図であり、図３は生体情報計測用パネル１０の分解斜視図を示している。また、図４は起歪板２０の上面を、図５は起歪板２０の下面を示しており、図６は生体情報計測用パネル１０の断面図を示している。
【００３２】
図３に示すように、生体情報計測用パネル１０は主として、起歪板（板状体に相当）２０と、起歪板２０の両側に設けられた一対のシリコンゴムシート（シート部材に相当）２２、２４と、緩衝部材（線状部材に相当）２６〜３０とで構成される。
【００３３】
起歪板２０は、湾曲可能な矩形の板材であり、たとえば厚み２〜３ｍｍで一辺が２５０ｍｍの正方形のアルミ板で構成される。なお、起歪板２０は、被検者１６の体動によって十分に湾曲するものであればよく、その材質及び形状は特に限定するものではない。
【００３４】
シリコンゴムシート２２、２４は、起歪板２０よりも大きな矩形の板状に形成され、起歪板２０を挟んだ状態でシリコンゴムシート２２、２４の同士が周縁部の全周にわたって接着される。これにより、一対のシリコンゴムシート２２、２４によって袋状の矩形体が形成され、その内部に起歪板２０が配置される。
【００３５】
ゴムシート２２、２４の厚みは、後述の歪みセンサ３２の感度に影響するため、用途に応じて適宜設定することが好ましく、たとえば本実施の形態の場合には１ｍｍ以上１０ｍｍ以下が好ましく、４ｍｍ以上６ｍｍ以下がより好ましい。ゴムシート２２、２４がこの範囲よりも薄いと強度不足となり、反対に厚いと全体が重くなったり、ゴムシート２２、２４の自重で歪みが生じたりする恐れがある。
【００３６】
なお、シリコンゴムシート２２又は２４の表面には、緩衝部材２６〜３０の方向を示す指標（たとえば矢印や文字等）を表示することが好ましい。また、シリコンゴムシート２２又は２４の表面には、生体情報計測用パネル１０の上下を示す指標を設けることが好ましい。このように構成された生体情報計測用パネル１０は、指標の向き（すなわち緩衝部材の向き）が被検者１６の向き（すなわち背骨の向き）になるようにして、被検者１６の背中の下方に設置される。これにより、被検者１６の寝返りなどの情報を正確に測定することが可能となる。
【００３７】
起歪板２０とシリコンゴムシート２２との間、及び、起歪板２０とシリコンゴムシート２４との間には、複数の緩衝部材２６〜３０が設けられる。緩衝部材２６〜３０は、ウレタン等の弾性材から成り、線状（棒状）に形成されている。また、複数の緩衝部材２６〜３０は、全てが同じ方向に平行に配置されており、起歪板２０の両側に設けられている。具体的には、図６に示すように、起歪板２０の上面側に三個の緩衝部材２６、２８、３０が配設され、起歪板２０の下面側に二個の緩衝部材２７、２９が配設される。また、図４に示すように緩衝部材２６、２８、３０は、起歪板２０を巾方向に四等分する位置に配置される。すなわち、起歪板２０の巾寸法をＷとした際に、緩衝部材２６、３０は、起歪板２０の巾方向の縁からＷ／４の間隔で配置され、緩衝部材２８は、起歪板２０の中央位置に配置される。また、図５及び図６に示すように緩衝部材２７、２９は、起歪板２０を挟んで緩衝部材２６、３０の反対側に配置される。
【００３８】
緩衝部材２６〜３０は、起歪板２０とシート部材２２との間、及び、起歪板２０とシート部材２４との間に隙間を形成するためのものであり、その厚み寸法は、起歪板２０を十分に湾曲させ且つシート部材２２、２４に必要以上の凹凸が形成されることを防止するために、２ｍｍ以上１０ｍｍ以下が好ましく、３ｍｍ以上７ｍｍ以下がより好ましい。上記の範囲よりも小さいと、緩衝部材２６〜３０を設けた効果（すなわち起歪板２０が湾曲しやすくなる効果）が十分に得られず、上記の範囲よりも大きいと緩衝部材２６〜３０によって後述の歪み測定の感度が悪化するおそれがある。
【００３９】
また、緩衝部材２６〜３０の巾寸法は、起歪板２０の巾寸法Ｗに対してＷ×１／１０以上Ｗ×１／４以下が好ましく、Ｗ×１／８以上Ｗ×１／５以下がより好ましく、Ｗ×１／６程度がさらに好ましい。上記の範囲よりも小さいと、シート部材２２、２４が起歪板２０に接触してシート部材２２、２４と起歪板２０との隙間がかえって小さくなり、上記の範囲よりも大きいと、緩衝部材２６〜３０の幅が広過ぎてシート部材２２、２４と起歪板２０との隙間が小さくなるため、緩衝部材２６〜３０を設けた効果が十分に得られなくなる。なお、起歪板２０の下面とシート部材２４との間に十分な隙間が形成されている状態であれば、起歪板２０の上面とシート部材２２との間に隙間がない状態（すなわち、緩衝部材２６、２８、３０が互いに接触している状態）であってもよい。この場合には、起歪板２０の下側に隙間を設けたことによって、起歪板２０が十分に湾曲しやすくなる。
【００４０】
なお、上述した実施形態では、全ての緩衝部材２６〜３０を同形状としたが、これに限定するものではなく、たとえば、両サイド部の緩衝部材２６、２７、２９、３０を中央部の緩衝部材２８よりも大きく形成してもよい。
【００４１】
図４、図５に示すように、起歪板２０には、歪みセンサ３２として四つの歪みゲージ３２ａ〜３２ｄが取り付けられている。歪みゲージ３２ａ、３２ｃは起歪板２０の上面で且つ中央部に取り付けられており、歪みゲージ３２ｂ、３２ｄは起歪板２０を挟んで歪みゲージ３２ａ、３２ｃの反対側に取りつけられている。また、各歪みゲージ３２ａ〜３２ｄは、緩衝部材２６〜３０と直交する向きに配置されている。なお、歪みゲージ３２ａ、３２ｃは、緩衝部材２８の下側に取りつけられている。
【００４２】
歪みゲージ３２ａ〜３２ｄは、図７に示すように電気的に接続され、ブリッジ回路が形成される。図７の如く４ゲージ法を採用することによって、起歪板２０の歪みを四倍に増幅して測定することができる。また、歪みゲージ３２ａ〜３２ｄを用いた場合、差分計算によって歪み量を求めるので、圧電フィルムを用いた場合のようにサンプリング頻度を増やさなくても、正確な測定を行うことができる。
【００４３】
上記の如く構成された歪みセンサ３２は、図１に示すように導線３４を介して通信装置３６に接続されており、この通信装置３６によって歪みセンサ３２の測定データを管理装置３８に送信することができる。なお、通信装置３６の代わりにフィルム状のアンテナ等をシリコンゴムシート２２の裏面に貼り付けるようにしてもよい。
【００４４】
管理装置３８は、ベッド１２と離れた位置（たとえば病院施設のナースステーション）に設けられており、この管理装置３８に測定データが送信される。この管理装置３８は、歪みセンサ３２から測定データを受信すると、その測定データに基づいて被検者１６の状態を判断する。たとえば、被検者がベッド１２のマット１４上に居るか否かを判断したり、被検者１６の寝返りなどの体動や、睡眠深度、起床予備動作、睡眠潜時などを判断したりする。
【００４５】
また、管理装置３８は、歪みセンサ３２の測定データから被検者１６の状態を判断した後、その判断した状態に基づいてサンプリング頻度を変更する。たとえば、起床予備動作を判断した場合にはサンプリング頻度を（たとえば０．０５ｓ〜６０ｓ間隔に）増やし、被検者１６の起床動作若しくは離床動作を正確に測れるようにする。また、睡眠潜時と判断した場合にはサンプリング頻度を（１０分〜３０分間隔に）減らして睡眠深度の評価などを行う。これにより、無駄なデータ量を減らしつつ、被検者１６の状態を正確に測定することができる。
【００４６】
次に上記の如く構成された生体情報計測システムの操作方法について図８（Ａ）、図８（Ｂ）を用いて説明する。図８（Ａ）は、歪みセンサ３２で測定した歪みεの経時変化例を示しており、図８（Ｂ）はその際の変動量Δεの経時変化例を示している。
【００４７】
まず、図１の管理装置３８は、生体情報計測用パネル１０から所定のサンプリング頻度（たとえば１分〜１０分間隔で）データを受信することにより、ベッド１２上の被検者１６の有無を判断する。その際、ベッド１２上の被検者１６の有無は、歪みセンサ３２で測定した歪みεの絶対値によって把握する。たとえば、図８（Ａ）において歪みεが０の場合は、ベッド１２上に被検者１６が居ない状態であり、歪みεが０でない場合は、ベッド１２上に被検者が居る状態である。このようにして被検者１６の有無を検出した後、被検者１６がベッド１２に居ない場合にはサンプリング頻度を少なくし、被検者１６がベッド１２に戻るまで、その少ない頻度でデータを受信する。
【００４８】
被検者１６がベッド１２に居ると判断した場合には、連続して生体情報計測用パネル１０のデータを受信し、被検者１６の睡眠潜時を判断するまで、データの受信及び睡眠潜時の判断を行う。その際、睡眠潜時の判断は、歪みセンサ３２で測定した歪みεの変化量Δεによって行う。たとえば図８（Ｂ）の変動量Δεが１００ε以下で継続する間を睡眠潜時とし、その変化が無くなった後の時間を睡眠状態と判断する。睡眠状態と判断した後は、サンプリング頻度を（たとえば１０分〜３０分間隔に）低下させながらデータを受信し、寝返りなどの体動や睡眠深度の判断を行う。このデータ受信及び解析は、被検者１６に起床予備動作が表れるまで（或いは、起床予備動作なしに被検者１６が起き上がるまで）連続して行う。起床予備動作は、図８（Ｂ）に示す変動量Δεが１００ε以下の睡眠状態が３０分以上続いた後、変動量Δεが５００〜１０００ε程度の状態が検知された際に、起床予備動作と判断する。
【００４９】
起床予備動作が生じた後は、サンプリング頻度を（たとえば０．０５ｓ〜６０ｓ間隔に）小さくしてデータを受信し、被検者１６の起床若しくは離床に備える。これにより、被検者１６の起床若しくは離床を迅速且つ正確に検出することができる。その際、被検者１６の起床動作若しくは離床動作は、図８（Ａ）に示す歪みεが０になることによって判断する。
【００５０】
被検者１６の起床動作若しくは離床動作を感知した際、管理装置３８は不図示のモニタに警告表示を行ったり、不図示のブザーで警音を発したりすることによって、作業者（医者、看護師、警備員など）に報告するとよい。また、被検者１６の睡眠時に何らかの異常な反応（たとえば痙攣などを示す体動や、生体反応が無くなったことを示す反応など）を検知した場合も同様に、警告表示や警音を発するようにするとよい。
【００５１】
次に上記の如く構成された生体情報計測用パネル１０の作用について説明する。上述したように生体情報計測用パネル１０は、起歪板２０とシート２２との間、及び、起歪板２０とシート２４との間に緩衝部材２６〜３０が設けられ、起歪板２０と各シート２２、２４との間に間隙が設けられているので、起歪板２０は撓みやすくなっている。特に、本実施の形態では、複数の緩衝部材２６〜３０が棒状に形成されるとともに平行に配置されているので、起歪板２０は、緩衝部材２６〜３０と直交する方向に撓みやすくなっている。したがって、被検者１６の寝返りなどによって被検者１６の荷重バランスが左右方向で変動した場合に起歪板２０が確実に撓むので、歪みセンサ３２によって被検者１６の体動を確実に測定することができる。
【００５２】
また、本実施の形態では、起歪板２０の中央部に緩衝部材２８が配置されているので、起歪板２０の中央部からサイド部への撓みを精度よく検出することができる。すなわち、被検者１６の荷重が起歪板２０の中央部からサイド部に移動した場合に、起歪板２０を確実に撓ませることができる。これにより、被検者１６の体動を精度よく測定することができる。
【００５３】
さらに、本実施の形態によれば、生体情報計測用パネル１０を被検者１６の下方（たとえばマット１４上やマット１４内）に配置するだけでよいので、従来構造のベッド１２にも取り付けることができ、イニシャルコストを大幅に削減することができる。
【００５４】
図９は、複数の生体情報計測用パネル１０、１０…を用いた生体情報計測システムを示す模式図である。同図に示すように、複数個の生体情報計測用パネル１０はそれぞれ、異なるベッド１２のマット１４上に配置され、各生体情報計測用パネル１０に通信装置３６が接続されている。この通信装置３６によって、ベッド１２から離れた位置の中央管理装置４０に、各生体情報計測用パネル１０のデータが送信される。なお、ベッド１２は、同じ病院施設４２内に限定するものではなく、在宅患者の場合には家４４のベッド１２であってもよい。また、中央管理装置４０は、救急センター４６などに設けるとよい。
【００５５】
中央管理装置４０には、データ入力装置（たとえばキーボード等）４２が設けられており、このデータ入力装置４２によって、各ベッド１２に横たわる被検者１６のデータ（たとえば年齢、病状、検出したい生体情報等）が入力される。なお、入力装置４２は、生体情報計測用パネル１０に直接接続したり、或いは生体情報計測用パネル１０に設けたりしてもよい。
【００５６】
中央管理装置４０は、入力された被検者１６の情報に基づいて、各生体情報計測用パネル１０のサンプリングパターン（サンプリング時刻やサンプリング頻度）を決定する。たとえば、徘徊の心配がある被検者１６の場合には、起き上がりの情報を正確に得るために、サンプリング頻度（特に起床予備動作を得た後のサンプリング頻度）を増加させる。これにより、被検者１６の起き上がり動作を確実に測定することができる。また、術後まもない患者や小児などの被検者１６の場合には、睡眠時にも細かいサンプリング頻度でデータを受信し、その被検者１６の体動を管理する。これにより、被検者１６の睡眠時の体動を確実に検出することができる。
【００５７】
中央管理装置４０は、被検者１６の情報として行動パターンを入力し、その行動パターンに基づいてサンプリング頻度を変動させるようにしてもよい。たとえば、被検者１６の徘徊が集中する時刻を入力し、その時刻近辺でサンプリング頻度を高めるようにしてもよい。
【００５８】
上記の如く構成された第２の実施形態によれば、中央管理装置４０において複数の生体情報計測用パネル１０のデータを管理することができ、複数の被検者１６の状態を同時に把握することができる。
【００５９】
また、第２の実施形態によれば、データ入力装置４２によって各被検者１６のデータを入力し、被検者１６ごとにサンプリングパターンを決定したので、データ量を無駄に増やすことなく、各被検者１６に適したデータを得ることができる。したがって、複数の被検者１６を管理する場合であっても、被検者１６の状態を容易に且つ正確に測定することができる。
【００６０】
なお、上述した実施形態は、被検者１６の起床を検知することを主な目的とした例で説明したが、本発明の生体情報計測用パネル１０は様々な目的で使用することができる。たとえば、被検者１６の睡眠時の体動データを生体情報計測用パネル１０から得ることによって、睡眠薬などの薬剤の効能を調べることができる。
【００６１】
また、生体情報計測用パネル１０のデータから被検者１６の生活パターンを把握することによって、問題の有無を判別することができる。たとえば、昼と夜のリズムが崩れている人を判別した場合には、その人の徘徊を重点的に監視することによって、未然に防止することができる。さらに、生体情報計測用パネル１０の測定データから被検者１６の呼吸数を解析することによって、被検者１６の健康状態を検出することもできる。
【００６２】
また、上述した実施形態は、生体情報計測用パネル１０をベッド１２に設けた例で説明したが、生体情報計測用パネル１０の設置場所はこれに限定するものではなく、たとえば車椅子の座面上に生体情報計測用パネル１０を配置して被検者１６の状態や乗り心地を測定したり、風呂場や玄関のマットの下に生体情報計測用パネル１０を配置して被検者１６の入浴や外出を検出したりしてもよい。
【００６３】
さらに、上述した実施形態は、被検体が人である例で説明したが、被検体は生物であれば良く、たとえば以下に示すように動物であってもよい。
【００６４】
図９は、生体情報計測用パネル１０によって動物の生体情報を検知する例を示している。同図に示すゲージ５０は、被検体である豚を収容して観察するものであり、豚の尻側となる位置には、尻当て用の屈曲した柵５４が設けられている。この柵５４によって、ゲージ５０の大きさは、収容された豚が体の向きを変えられないように（すなわち、豚の動きを座るか立つかに規制するように）構成されている。ゲージ５０には、給餌装置５２が取り付けられており、この給餌装置５２によって豚に餌が与えられる。
【００６５】
生体情報計測用パネル１０は、豚の前足の下方に配置されている。また、生体情報計測用パネル１０は、その緩衝部材２６〜３０（図３参照）の向きが豚の体の向きに一致するように配置されている。なお、その他の構成は上述した第１又は第２の実施形態と同様であり、その説明を省略する。
【００６６】
上述した実施の形態によれば、豚の下方に生体情報計測用パネル１０が配置されているので、豚の体動パターンや呼吸などの生体情報を生体情報計測用パネル１０によって検知することができる。なお、この実施形態の場合にも、被検体の種類に応じてサンプリング頻度を設定することが好ましい。
【図面の簡単な説明】
【００６７】
【図１】本発明の第１の実施形態の生体情報計測システムを模式的に示す図
【図２】本発明の生体情報計測用パネルを示す斜視図
【図３】本発明の生体情報計測用パネルを示す分解斜視図
【図４】起歪板の上面を示す図
【図５】起歪板の下面を示す図
【図６】生体情報計測用パネルの断面図
【図７】歪みセンサの構成を示す回路図
【図８】歪みセンサで測定した歪みε及びその変動量Δεの経時変化例
【図９】第２の実施形態の生体情報計測システムを模式的に示す図
【図１０】動物の生体情報を検知するシステムを模式的に示す図
【符号の説明】
【００６８】
１０…生体情報計測用パネル、１２…ベッド、１４…マット、１６…被検者、２０…起歪板、２２…ゴムシート、２４…ゴムシート、２６〜３０…緩衝部材、３２…歪みセンサ、３２ａ〜３２ｄ…歪みゲージ、３４…導線、３６…通信装置、３８…管理装置、４０…中央管理装置、４２…データ入力装置、５０…ゲージ、５２…給餌装置、５４…柵
【図１】
2008142461.tif 000003
【図２】
2008142461.tif 000004
【図３】
2008142461.tif 000005
【図４】
2008142461.tif 000006
【図５】
2008142461.tif 000007
【図６】
2008142461.tif 000008
【図７】
2008142461.tif 000009
【図８】
2008142461.tif 000010
【図９】
2008142461.tif 000011
【図１０】
2008142461.tif 000012